【事件の表示】
　平成　４年特許願第　５３６９５号「プロセスカートリッジ及び前記プロセスカートリッジを着脱可能な画像形成装置」拒絶査定に対する審判事件［平成　５年　９月　３日出願公開、特開平　５−２２４４７６］について、次のとおり審決する。
【結　論】
　本件審判の請求は、成り立たない。
【理　由】
１．手続の経緯、本願発明
　本願は、平成４年３月１２日（優先権主張平成３年１２月２０日）の出願であって、平成１３年５月１８日付けで拒絶査定がなされ、これに対し平成１３年６月２８日付けで審判請求がされ、前置審査において平成１３年１１月８日付けで、拒絶理由通知がなされたものである。
　そして、その請求項１〜３に係る発明は、平成１１年３月１１日付け手続補正書、平成１３年１月１２日付け手続補正書、平成１３年７月２７日付け手続補正書及び平成１４年１月１５日付け手続補正書によって補正された明細書及び図面の記載からみて、その特許請求の範囲の請求項１〜３に記載された次のとおりのものである。（以下、本願発明１〜３という。）
「【請求項１】　記録媒体に転写された現像像を熱を用いて前記記録媒体に定着するための定着手段と、空気流を発生させるためのファンと、規制部材と、を有する画像形成装置本体に着脱可能なプロセスカートリッジにおいて、
　電子写真感光体と、
　前記電子写真感光体に作用する作用手段と、
　前記電子写真感光体と前記作用手段とを支持する筐体と、
　前記電子写真感光体を保護するためのカバーと、
　前記電子写真感光体を保護する保護位置と、前記筐体と前記定着手段との間に位置する退避位置との間を移動可能なように前記カバーを前記筐体に支持するアームと、
　を有し、
　前記プロセスカートリッジが前記装置本体に装着されて、前記カバーが前記退避位置に位置した際に、前記アームは前記規制部材によって前記装置本体に支持されて、及び、前記カバーが、前記ファンによって発生する空気流が前記筐体と前記カバーとの間を通過する空気流路と、前記定着手段と前記カバーとの間を通過する空気流路とを構成することを特徴とするプロセスカートリッジ。
【請求項２】　前記作用手段は、前記電子写真感光体を帯電させるための帯電手段、前記電子写真感光体に形成された潜像を現像するための現像手段、前記電子写真感光体をクリーニングするためのクリーニング手段の少なくとも一つであることを特徴とする請求項１に記載のプロセスカートリッジ。
【請求項３】　プロセスカートリッジを着脱可能であって、記録媒体に画像を形成するための画像形成装置において、
　（ａ）前記記録媒体に転写された現像像を熱を用いて前記記録媒体に定着するための定着手段と、
　（ｂ）空気流を発生させるためのファンと、
　（ｃ）規制部材と、
　（ｄ）電子写真感光体と、
　前記電子写真感光体に作用する作用手段と、
　前記電子写真感光体と前記作用手段とを支持する筐体と、
　前記電子写真感光体を保護するためのカバーと、
　前記電子写真感光体を保護する保護位置と、前記筐体と前記定着手段との間に位置する退避位置との間を移動可能なように前記カバーを前記筐体に支持するアームと、
　を有し、
　前記プロセスカートリッジが前記装置本体に装着されて、前記カバーが前記退避位置に位置した際に、前記アームは前記規制部材によって前記装置本体に支持されて、及び、前記カバーが、前記ファンによって発生する空気流が前記筐体と前記カバーとの間を通過する空気流路と、前記定着手段と前記カバーとの間を通過する空気流路とを構成するプロセスカートリッジを取り外し可能に装着する装着手段と、
　を有することを特徴とする画像形成装置。」
　
２．引用刊行物の記載内容
　前置審査における平成１３年１１月８日付けの拒絶の理由に引用された下記の刊行物には次の事項が記載されている。
　
刊行物１：特開平２−５０１６９号公報
1a.「像坦持体を覆うドラムシャッターを有するプロセスカートリッジを装置本体に着脱可能に装着する画像形成装置において、前記プロセスカートリッジの像坦持体を覆う位置及びプロセスカートリッジと定着器間の退避位置に移動可能に設けたドラムシャッタと、前記退避位置におけるドラムシャッタと前記プロセスカートリッジ間の空間に空気流を生じさせるファンとを備えたことを特徴とする画像形成装置。」（特許請求の範囲）
1b.「（作用）
　本発明においては、プロセスカートリッジが装置本体に装着されたとき、ドラムシャッタがプロセスカートリッジと定着器間に退避されると、プロセスカートリッジとドラムシャッタ間に空気通路が形成され、そしてファンを駆動することにより前記空気通路内には空気の流れが生じて定着器からの放射熱を遮断する断熱層が形成されることになる。
　従って、本発明にあっては、断熱のための部品を増すことなくドラムシャッタを利用して定着器の熱によるカートリッジ内部の温度上昇を防止でき、且つカートリッジと定着器間の搬送路の短縮が可能となって装置全体の小型化を容易にする。」（３頁左上欄１４行〜右上欄７行）
1c.「図において、１はプリンタ装置本体、２は装置本体１内に着脱自在に装着されたプロセスカートリッジであり、このプロセスカートリッジ２は第６図に示す従来例と同様に感光ドラム３、帯電器４、現像器５、クリーナ５等から構成されている。さらに従来と同様に…定着器１４、…を備えている。」（３頁右上欄１８行〜左下欄８行）
1d.「２８はプロセスカートリッジ２が装置本体１に装着されないとき感光ドラム３の露光面を覆って保護し、装着されたとき第２図に示すようにプロセスカートリッジ２と定着器１４の間に退避するドラムシャッターで、感光ドラム３の外径より大きい径の円弧状をなしている。ドラムシャッタ２８の左右両端の一方の角部は、第３図に示すように感光ドラム３を回転可能に支持するドラム軸３０の両端突出部に回転可能に取り付けたシャッタアーム３１，３２の揺動先端にそれぞれ回動可能に連結され、そして、一方のシャッターアーム３１はシャッタ連結側の反対の方向に延長され、その延長端にはアームピン３１ａが取り付けられている。３３は一端をドラムシャッタ２８の他方の角部に連結し、他端をプロセスカートリッジ２に取り付けたシャッタばねで、ドラムシャッタ２８をこれがドラム３を覆う閉じ方向に付勢している。また、４０はプロセスカートリッジ２の左右側面に対向して装置本体に取り付けたカートリッジ保持用の支持ブロック（図面では一方のみを示す）であり、この支持ブロック４０にはドラム軸３０が係合する軸受部４０ａ及びアームピン３１ａが係合するピンガイド４０ｂがそれぞれ形成されている。」（３頁右下欄８行〜４頁左上欄１１行）
1e.「装置本体の前面部１ａは転写帯電器１２を含めた搬送ユニット…毎、支点Ｐを中心に開閉可能であり、図示しないロック機構を外すと第２図の２点鎖線に示す状態に開くことができ、これに伴い第２図の右側からプロセスカートリッジ２を矢印の方向へ引き抜けば、プロセスカートリッジ２を取り出すことができる。」（４頁右下欄１６行〜５頁左上欄４行）
1f.「装置本体内に装着されたプロセスカートリッジ２は第３図（ｂ）の状態にある。即ちアームピン３１ａがピンガイド４０ｂに係合しているため、ドラムシャッタ２８はシャッタばね３３のばね力に抗して矢印Ａに移動し、第２図に示すクリーナ６と定着器１４の間に退避して感光ドラム３の周面を転写帯電器１２に当接させている。」（５頁左上欄５〜１１行）
1g.「装置本体１の側面には、退避位置のドラムシャッタ２８の一側に対向してファン４１が取り付けられているため、退避位置にあるドラムシャッタ２８とこれに対向するプロセスカートリッジ２間の空間２８ａ（第２図参照）が通気ダクトの一部として作用する。従って、ファン４１が駆動されると、ドラムシャッタ２８とカートリッジ２間の空気を第１図において右側から左側へ吸引し、オゾンフィルタ４３を通して装置外へ排出し、カートリッジ内部の温度上昇を防止する。」（５頁右上欄２〜１１行）
　
刊行物２：実願昭６３−１４４３５３号（実開平２−６４９５５号）のマイクロフィルム
2a.「複写機本体１内における感光体４より一側方に定着器２を設けると共に、
　この定着器２と対向して感光体４を清掃するクリーナ６を設け、
　送風ファン３の吸込側を前記定着器２の上方に位置させて定着器２より発生した熱を熱流として送風ファン３で外部に排出するようにした電子写真複写機の排熱装置において、
　前記クリーナ６の定着器２と対向する側にスリット１０を有する遮熱板１１を設けたことを特徴とする電子写真複写機の排熱装置。」（実用新案登録請求の範囲）
2b.「〔考案が解決しようとする課題〕
…定着器２より発生した高温の熱が熱流として感光体４と対向して配設したクリーナ６の吸込口３ａと対向した背面６ａに接触しながら流れるので、クリーナ６が高温となると共に、クリーナ６からの熱伝導によって感光体４の温度が上昇し、クリーナ６内の回収トナーが融解凝固化してクリーナの機能をそこなったり、回収トナーを再利用できなくなると共に、感光体４の熱劣化を招いて耐久性を低下してしまう。」（３頁５〜１４行）
2c.「〔課題を解決するための手段及び作用〕
　クリーナの定着器と対向した側にスリットを有する遮熱板を設けた電子写真複写機の排熱装置であり、これによって、定着器からの熱流が遮熱板に沿って流れクリーナに沿って流れないと共に、冷たい空気がスリットを通して流れるので遮熱板を冷却でき、しかも遮熱板とクリーナとの間にエアカーテンを形成して遮熱板の熱がクリーナに伝熱達し難くできるから、クリーナが高温となることを防止できる。」（４頁９〜１８行）
2d.「クリーナ６における定着器２と対向した背面６ａと隣接してスリット１０を有する遮熱板１１を設けてあり、これによって定着器２より発生した熱の熱風Ａが遮熱板１０に沿って排気ファン３の吸込口３ａに流れるようにし、これによって前記熱風Ａがクリーナ６の背面６ａに接触しないようにすると共に、感光体４の定着器２と反対側部分の冷たい空気Ｂがスリット１０を通って吸込口３ａに流れるようにして、その冷たい空気Ｂで感光体４及び定着器６が冷却されると共に、スリット１０を流れる空気流Ｃによって遮熱板１１自体を冷却し、かつクリーナ６と遮熱板１１の間にエアカーテンを形成してクリーナ６、感光体４の昇温をより一層防止するようにしてあり、クリーナ６の底面６ｂは冷たい空Ｂ気が流れ易いように斜めとしてある。」（４頁２０行〜５頁１６行）
　
３．対比・判断
（１）本願発明１について
　本願発明１と刊行物１に記載された発明とを対比する。
　刊行物１に記載された発明における「感光ドラム３（像坦持体）」「帯電器４、現像器５、クリーナ５」「ドラムシャッタ２８」は、本願発明１の「電子写真感光体」「電子写真感光体に作用する作用手段」「電子写真感光体を保護するためのカバー」に相当する。また、刊行物１の第３図には、本願発明１の「電子写真感光体と作用手段とを支持する筐体」に相当するものが記載されている。また、刊行物１に記載された発明における「プロセスカートリッジの像坦持体を覆う位置」（第３図（ａ）の２８参照）は、本願発明１の「電子写真感光体を保護する保護位置」に相当し、刊行物１に記載された発明における「プロセスカートリッジと定着器間の退避位置」（第３図（ｂ）及び第２図の２８参照）は、本願発明１の「筐体と定着手段との間に位置する退避位置」に相当するから、刊行物１に記載された発明における「シャッタアーム３１，３２」は、本願発明１の「電子写真感光体を保護する保護位置と、筐体と定着手段との間に位置する退避位置との間を移動可能なようにカバーを筐体に支持するアーム」に相当する。また、刊行物１に記載された発明における「ファン」は「退避位置におけるドラムシャッタとプロセスカートリッジ間の空間に空気流を生じさせる」（1a.）から、刊行物１には、本願発明１の「プロセスカートリッジが装置本体に装着されて、カバーが退避位置に位置した際に、カバーが、ファンによって発生する空気流が筐体とカバーとの間を通過する空気流路を構成すること」に相当することが記載されている。そして、刊行物１では「装置本体内に装着されたプロセスカートリッジ２は第３図（ｂ）の状態にあり、アームピン３１ａがピンガイド４０ｂに係合しているため、ドラムシャッタ２８はクリーナ６と定着器１４の間に退避して」（1f.）おり、ピンガイド４０ｂが形成されている「支持ブロック４０」は装置本体に取り付けられている（1d.）から、本願発明１の「プロセスカートリッジが装置本体に装着されて、カバーが退避位置に位置した際に、アームは規制部材によって装置本体に支持され」ることに相当している。
　そうすると、本願発明１と刊行物１に記載された発明は、
「記録媒体に転写された現像像を熱を用いて前記記録媒体に定着するための定着手段と、空気流を発生させるためのファンと、規制部材と、を有する画像形成装置本体に着脱可能なプロセスカートリッジにおいて、
　電子写真感光体と、
　前記電子写真感光体に作用する作用手段と、
　前記電子写真感光体と前記作用手段とを支持する筐体と、
　前記電子写真感光体を保護するためのカバーと、
　前記電子写真感光体を保護する保護位置と、前記筐体と前記定着手段との間に位置する退避位置との間を移動可能なように前記カバーを前記筐体に支持するアームと、
　を有し、
　前記プロセスカートリッジが前記装置本体に装着されて、前記カバーが前記退避位置に位置した際に、前記アームは前記規制部材によって前記装置本体に支持されて、及び、前記カバーが、前記ファンによって発生する空気流が前記筐体と前記カバーとの間を通過する空気流路を構成するプロセスカートリッジ」である点で一致し、以下の点で相違する。
（相違点）プロセスカートリッジが装置本体に装着されて、カバーが退避位置に位置した際に、本願発明１では、「カバー」がファンによって発生する空気流が「定着手段とカバーとの間を通過する空気流路」をも構成するのに対し、刊行物１には、「定着手段とカバーとの間を通過する空気流路」を構成することについては明記されていない点。
　
　ところで、刊行物２には、「遮熱板１１…によって定着器２より発生した熱の熱風Ａが遮熱板１０に沿って排気ファン３の吸込口３ａに流れるように…すると共に、感光体４の定着器２と反対側部分の冷たい空気Ｂがスリット１０を通って吸込口３ａに流れるようにして、…スリット１０を流れる空気流Ｃによって遮熱板１１自体を冷却し、かつクリーナ６と遮熱板１１の間にエアカーテンを形成してクリーナ６、感光体４の昇温をより一層防止するようにしてあり…」（2d.）と記載されている。一方、刊行物１における退避位置におけるドラムシャッタ２８は、定着器からの放射熱を遮断する遮熱板としての役割もはたしている（1b.、第１図、第２図参照）から、刊行物１に記載された発明においても、刊行物２におけると同様に、ファンによって発生する空気流が、定着器１４とドラムシャッタ２８との間を通過する空気流路、すなわち、「定着手段とカバーとの間を通過する空気流路」をも構成するようにすることは、当業者が容易になし得ることである。
　そして、本願発明１の作用効果は刊行物１及び刊行物２に記載された発明から、当業者であれば容易に予測することができるものであって格別のものとは言えない。
　
（２）本願発明２について
　刊行物１に記載された発明における「帯電器４、現像器５、クリーナ５」は、本願発明２の「前記電子写真感光体を帯電させるための帯電手段、前記電子写真感光体に形成された潜像を現像するための現像手段、前記電子写真感光体をクリーニングするためのクリーニング手段」に相当しているから、相違点について上記（１）と同じであり、判断も上記（１）と同じである。
　
（３）本願発明３について
　刊行物１に記載の画像形成装置も、プロセスカートリッジ２を着脱可能であって、記録媒体に画像を形成するための画像形成装置であり、定着器１４と、ファン４１と、「規制部材」に相当する支持ブロック４０と、プロセスカートリッジを取り外し可能に装着する装着手段とを有しているから、相違点については上記（１）と同じであり、判断も上記（１）と同じである。
　
４．結論
　以上のとおり、本願発明１〜３は、本願出願前に国内で頒布された刊行物１及び刊行物２に記載された発明に基いて当業者が容易に発明をすることができたものと認められるから、特許法第２９条第２項の規定により特許を受けることができない。
　よって、結論のとおり審決する。